(57)【要約】  【課題】  同一のコマ画像の集合体において、異なる複数のレイアウトを行う場合に、種々のレイアウトを簡単な操作で行うことができるレイアウト編集処理装置を提供する。  【解決手段】  複数の対象画像が表示される対象画像表示手段と、予め枠順位が設定された複数の画像枠が配列されたテンプレートを表示するテンプレート表示手段と、表示された対象画像を指示する画像指示手段と、前記画像指示手段により指示された対象画像に対してその指示順序に従って優先的に割付順位を設定するとともに、前記画像指示手段により指示されなかった対象画像に対して前記対象画像表示手段による表示順に割付順位を設定する割付順位設定手段と、前記割付順位設定手段により設定された割付順位に従って前記枠順位に対象画像を割り付けたプリントデータを生成するプリントデータ生成手段を備えて構成する。【選択図】  図２
2006150654.tif 000002
【特許請求の範囲】
【請求項１】
１枚の記録媒体に複数の画像を割り付けてプリントするためのプリントデータを生成するレイアウト編集処理装置であって、
複数の対象画像が表示される対象画像表示手段と、予め枠順位が設定された複数の画像枠が配列されたテンプレートを表示するテンプレート表示手段と、表示された対象画像を指示する画像指示手段と、前記画像指示手段により指示された対象画像に対してその指示順序に従って優先的に割付順位を設定するとともに、前記画像指示手段により指示されなかった対象画像に対して前記対象画像表示手段による表示順に割付順位を設定する割付順位設定手段と、前記割付順位設定手段により設定された割付順位に従って前記枠順位に対象画像を割り付けたプリントデータを生成するプリントデータ生成手段とを備えて構成されるレイアウト編集装置。
【請求項２】
前記割付順位設定手段は、優先的に割付順位が設定された対象画像が前記画像指示手段により再度指示されたときに当該割付順位をキャンセルするとともに、優先的に割付順位が設定されている対象画像の割付順位を更新する請求項１記載のレイアウト編集装置。
【請求項３】
前記割付順位設定手段は、優先的に割付順位が設定された対象画像が前記画像指示手段により再度指示されたときに当該割付順位をキャンセルするとともに、優先的に割付順位が設定されている下位の対象画像の割付順位を上位に更新する請求項１記載のレイアウト編集装置。
【請求項４】
前記対象画像表示手段による対象画像の画像数と一致するように前記テンプレートの画像枠を増減編集するテンプレート自動編集手段が設けられている請求項１から３の何れかに記載のレイアウト編集装置。
【発明の詳細な説明】
【技術分野】
【０００１】
本発明は、１枚の記録媒体に複数の画像を割り付けてプリントするためのプリントデータを生成するレイアウト編集処理装置に関する。
【背景技術】
【０００２】
近年、写真プリントのデジタル化に伴い、１枚の印画紙などの記録媒体に複数のコマ画像をレイアウトすることが可能となり、また、レイアウト編集も任意に設定できる技術が提案されている。例えば、複数のコマ画像データをコマ毎にコマ識別情報と対応づけて記憶媒体に記憶するとともに、前記画像データからコマ識別情報をコマ毎に付与したプリントを作成し、このプリントに基づいて所望のコマを選択して、その選択したコマに付与されたコマ識別情報からなる選択コマ指示情報を作成し、選択コマ指示情報により指示されたコマの画像データを記録媒体からコマ識別情報を利用して検索して得、得られたコマ画像データを所定のレイアウトの画像として構成し、画像記録媒体にアルバムプリント画像として記録する技術が提案されている。
【特許文献１】特開平９−２１４８６８号公報
【発明の開示】
【発明が解決しようとする課題】
【０００３】
しかし、上述した従来の写真プリンタのレイアウト編集では、同一のコマ画像の集合体を用いて、異なる複数のレイアウト画像を作成する際、同一の箇所に同一のコマ画像を配置する場合や、一部のコマ画像間の配置関係が同一である場合にも、全てのコマ画像に対してレイアウト編集を行い直す必要があった。
【０００４】
例えば、図９に示すような中央に本人の拡大写真を配置し、校長と担任を特定箇所に配置し、周囲に他の生徒を名簿順に配置するクラスアルバム写真を全ての学生に作成することがある。このクラスアルバム写真のレイアウト編集に際して、中央に配置する生徒と、他の生徒とを入れ替えるだけにもかかわらず、オペレータは全てのコマ画像に対して手作業でレイアウト編集を行い直す必要があり、非常に手間と時間を要するものであった。
【０００５】
本発明の目的は、上述した従来の問題点に鑑み、同一のコマ画像の集合体において、異なる複数のレイアウトを行う場合に、種々のレイアウトを簡単な操作で行うことができるレイアウト編集処理装置を提供する点にある。
【課題を解決するための手段】
【０００６】
上述の目的を達成するため、本発明による画像レイアウト編集処理装置の第一の特徴構成は、１枚の記録媒体に複数の画像を割り付けてプリントするためのプリントデータを生成するレイアウト編集処理装置であって、複数の対象画像が表示される対象画像表示手段と、予め枠順位が設定された複数の画像枠が配列されたテンプレートを表示するテンプレート表示手段と、表示された対象画像を指示する画像指示手段と、前記画像指示手段により指示された対象画像に対してその指示順序に従って優先的に割付順位を設定するとともに、前記画像指示手段により指示されなかった対象画像に対して前記対象画像表示手段による表示順に割付順位を設定する割付順位設定手段と、前記割付順位設定手段により設定された割付順位に従って前記枠順位に対象画像を割り付けたプリントデータを生成するプリントデータ生成手段とを備えて構成してある点にある。
【０００７】
上述した構成によれば、オペレータは対象画像に割付順位を簡単に設定できるとともに、対象画像はテンプレートの枠に設定された枠順位に基づいて、対象画像に設定された割付順位に従って、当該枠に嵌め込まれることにより、自動でレイアウトされるので、手間なく簡単に短時間でレイアウト作業が可能となるのである。
【０００８】
同第二の特徴構成は、同請求項２に記載した通り、上述の第一特徴構成に加えて、前記割付順位設定手段は、優先的に割付順位が設定された対象画像が前記画像指示手段により再度指示されたときに当該割付順位をキャンセルするとともに、優先的に割付順位が設定されている対象画像の割付順位を更新する点にある。
【０００９】
上述した構成によれば、一度の操作で必要最小限の対象画像の割付順位のみを変更することから、確実に割付順位を変更でき、簡単に画像レイアウト編集を行うことが可能となるのである。
【００１０】
同第三の特徴構成は、同請求項３に記載した通り、上述の第一の特徴構成に加えて、前記割付順位設定手段は、優先的に割付順位が設定された対象画像が前記画像指示手段により再度指示されたときに当該割付順位をキャンセルするとともに、優先的に割付順位が設定されている下位の対象画像の割付順位を上位に更新する点にある。
【００１１】
上述した構成によれば、一度の操作で対象画像とそれに関連した対象画像の割付順位を変更することから、少ない操作で多くの対象画像の割付順位を変更でき、簡単に画像レイアウト編集を行うことが可能となるのである。
【００１２】
同第四の特徴構成は、同請求項４に記載した通り、上述の第一から第三の何れかの特徴構成に加えて、前記対象画像表示手段による対象画像の画像数と一致するように前記テンプレートの画像枠を増減編集するテンプレート自動編集手段が設けられている点にある。
【００１３】
上述した構成によれば、対象画像の選択の仕方により発生する対象画像の数の増減にかかわらず、対象画像の数に合うようにテンプレートの画像枠が調整されるので、画像レイアウト編集を行い直す必要がなくなり、簡単に画像レイアウト編集を行えるのである。
【発明の効果】
【００１４】
以上説明した通り、本発明によれば、同一のコマ画像の集合体において、異なる複数のレイアウトを行う場合に、種々のレイアウトを簡単な操作で行うことができるレイアウト編集処理装置を提供することができるようになった。
【発明を実施するための最良の形態】
【００１５】
以下に本発明によるレイアウト編集処理装置が組み込まれた写真プリント装置の実施の形態を説明する。図１に示すように、写真プリント装置は、カラー銀塩写真フィルムに形成された撮影画像を光電変換してデジタル画像としての写真画像をメモリに記憶する写真画像入力部１と、写真画像入力部１から入力されたカラー写真画像に対して所定の画像処理を施し出力画像を生成する画像処理部２と、生成された出力画像を順次出力する画像出力部としてのラインバッファ２８と、ラインバッファ２８からの出力画像に基づいて印画紙を露光する露光ヘッド３４を備えた画像露光部３と、露光された印画紙を現像処理する現像処理部４と、現像処理後の印画紙をコマ単位で切断して排紙する排紙部５と、上述した各機能ブロック全体を統合して作動制御するシステム制御部６とを備えて構成される。
【００１６】
前記写真画像入力部１は、例えば現像済みの１３５カラーネガフィルム１０の各コマを読取位置に間歇的に搬送するフィルム搬送部１１と、フィルム１０の各コマの画像を読み取る画像読取部１２とからなり、前記フィルム搬送部１１は、巻取ローラ１１１と、巻取ローラ１１１を回転駆動するフィルム搬送モータ１１２と、フィルム搬送モータ１１２を制御するフィルム搬送制御部１１３とを備えて構成され、前記画像読取部１２は、フィルム１０の下部に配置された光源１１４と、光源１１４の発光強度を制御する光源制御部１１５と、一次元ＣＣＤを備えた撮像素子１１６と、撮像素子１１６による画像の読取制御を行なう読取制御部１１７ｂと、フィルム１０の各コマ画像を撮像素子１１６の受光面に結像させるレンズ１１７と、フィルム１０とレンズ１１７間に設けられ、フィルム１０の画像をＲＧＢの３色に分離する光学フィルタ１１８と、光学フィルタ１１８を切替駆動するフィルタ駆動モータ１１９と、フィルタ駆動モータ１１９を駆動制御するフィルタ切替制御部１２０と、撮像素子１１６で読み取った画像信号をデジタルデータとして記憶する画像データ記憶部１２１とを備えて構成される。前記画像データ記憶部１２１は、撮像素子１１６で読み取られたＲＧＢ夫々のアナログ画像信号を１６ビットの階調レベルでＲＧＢのデジタル画像データに変換するＡ／Ｄ変換器１２２と、Ａ／Ｄ変換器１２２により変換されたＲＧＢ三色のデジタル画像データをコマ単位でコマ識別情報と対応づけて格納するＲＡＭなどでなる画像バッファメモリ１２３とを備えて構成される。
【００１７】
前記画像処理部２は、画像バッファメモリ１２３に格納されたコマ単位の写真画像に対して、ノイズや歪などの低減処理、色補正処理、拡縮処理などを行なう画像処理手段２１と、前記画像処理手段２１により処理された画像をテンプレート画像に嵌め込み編集するプリントデータ生成手段２３と、最終の出力画像を格納する画像処理メモリ２５を備えて構成される。格納された最終の出力画像は、１ライン毎にラインバッファメモリ２８を介して露光制御部３６に出力される。
【００１８】
前記画像露光部３は、ロールカセット３０に巻回されている長尺状の印画紙３１を搬送モータ３７により露光ステーション３３に向けて所定の搬送速度で搬送する印画紙搬送制御部３８を備えた印画紙搬送部３２と、露光ステーション３３に搬送された印画紙３１に対して露光走査するＰＬＺＴ方式の露光ヘッド３４と、露光ヘッド３４を駆動制御する露光ヘッド制御部３５と、ラインバッファメモリ２８からの画像データを印画紙３１の搬送速度に同期した所定のタイミングで露光ヘッド制御部３５に出力する露光制御部３６とを備えて構成される。
【００１９】
前記現像処理部４は、現像液などの現像処理液が充填された処理槽４０と、露光済みのロール印画紙３１を処理槽４０内に搬送して、現像、漂白、定着の各処理がなされたロール印画紙３１を前記排紙部５に搬送する搬送制御部を備えて構成され、前記排紙部５は、現像処理部４で現像処理されたロール印画紙３１を幅方向に切断して１コマ単位に分割するカッター５０と、カッター５０を駆動するカッターモータ５１に対する駆動制御や、切断された印画紙３１を装置外部に排出制御する排紙制御部５２とを備えて構成される。
【００２０】
前記システム制御部６は、制御用ＣＰＵ、制御プログラムが格納されたＲＯＭ、データ処理用のＲＡＭと、各機能ブロックに対する制御用信号入出力回路を備えて構成され、前記制御プログラムに基づいて各機能ブロックが統合制御される。
【００２１】
前記システム制御部６には写真画像処理装置による処理手順などを設定入力するキーボード７ｃやマウス７ｄを備えた入力装置７ｅとモニター７ｂでなるコンソール７が接続され、原写真画像が保持されるメディア情報（フィルム種類など）と前記出力画像に基づいてプリントされる印画紙のサイズ情報や画像編集処理を含むプリント情報としてのプリントチャンネルが設定入力され、前記システム制御部６は選択されたプリントチャンネルに設定された情報に基づいて各機能ブロックを制御する。
【００２２】
前記プリントチャンネルとは、前記コンソール７に設けられたプリント情報設定部７ａにより設定され、予め入力メディア、プリントの種類、印画紙サイズなど、作成するプリントに合わせて設定されるチャンネルをいい、前記コンソール７を介してチャンネル０から順に所定数のチャンネルが個別に設定可能に構成される。各チャンネルには、入力メディア情報（フィルム種類やデジタル画像の記憶メディア種類）、通常プリント（同時プリント）かアルバムプリントか編集プリントかといったプリントタイプ情報、編集プリントである場合にはその種別情報（例えばポストカード、証明写真、名刺、合成写真など）、印画紙の紙幅や面質情報、プリントサイズ情報、画像の自動補正モード設定情報などがプリント情報として設定される。
【００２３】
オペレータは注文情報に基づいて適切なプリントチャンネルを指定して、設定されている入力メディア情報に該当するネガマスクを前記写真画像入力部１に装着し、またはメディアドライバ１１７ａにメディアを装着することにより、画像バッファメモリ１２３への画像入力が可能になる。フィルム画像の入力は、先ず低解像度で高速に読み込むプレスキャン動作によりフィルム１本分の画像が読み込まれ、前記画像バッファメモリ１２３に格納され、フィルム検定処理が行なわれる。
【００２４】
フィルム検定では、読み込まれた複数のコマ画像が前記モニター７ｂに表示され、前記入力装置７ｅを介したオペレータの操作などに基づいて、画像処理手段２１により各コマ画像に対する色補正などの各種の画像処理が施され、それらの処理情報が前記画像処理手段２１に設けられたメモリ（図示せず）に格納される。前記メディアドライバ１１７ａから入力されたコマ画像に対しても同様の処理が施される。
【００２５】
アルバムプリントや編集プリントが設定されているときには、詳細は後述するが、前記プリントデータ生成手段２３が作動して、前記モニター７ｂにテンプレート画像記憶手段２３２に記憶されたテンプレート画像及び前記画像バッファメモリ１２３に格納されたコマ画像が表示され、前記入力装置７ｅを介したオペレータの操作などに基づいてテンプレート画像に各コマ画像が嵌め込み編集される。
【００２６】
フィルム検定が終了すると、対象フィルムから撮影画像を高解像度で読み込む本スキャン動作が実行される。本スキャン動作では数コマずつ読み込まれて前記画像バッファメモリ１２３に格納された写真画像に対して、前記画像処理部２により前記補正テーブルデータに基づく補正処理を含む所要の画像処理が実行されて出力画像が生成される。
【００２７】
前記画像露光部３では、指定されたプリントチャンネルに設定されているプリントサイズに基づいて適切な印画紙３１が選択され（通常、複数サイズの印画紙が収容されている）露光ステーション３３に搬送され、露光ヘッド３４により出力画像に対応した露光処理が行なわれる。前記排紙部５では、カッター５０により同プリントサイズに基づいて現像済みのロール印画紙３１が１コマ単位に切断される。
【００２８】
前記プリントデータ生成手段２３は、図２に示すように、テンプレートレイアウト手段２３１と、テンプレート画像記憶手段２３２と、テンプレート画像選択手段２３３と、割付順位設定手段２３５と、割付コマ画像記憶手段２３６と、割付コマ順位編集手段２３７と、順位付け機能記憶手段２３８と、嵌め込み編集手段２３０と、プリントデータ記憶手段２３９を備え、システム制御部６及びコンソール７とにより本発明のレイアウト編集処理装置が構成される。
【００２９】
前記テンプレート画像記憶手段２３２には、証明写真やアルバム編集写真などの用途に応じて予め複数のテンプレート画像が格納され、前記嵌め込み編集手段２３０により、オペレータの操作に基づいて選択表示されたテンプレート画像に所望の画像が貼り付けられて出力画像（プリントデータ）が生成されるのであるが、前記テンプレート画像記憶手段２３２に格納されたテンプレート画像は、当該写真プリント装置の購入時に予め格納されているテンプレート画像とともに、購入者側で創作したテンプレート画像が格納されている。購入者側でテンプレート画像を創作する場合には、前記テンプレートレイアウト手段２３１が使用される。
【００３０】
前記テンプレートレイアウト手段２３１は、前述したように記録媒体である印画紙１枚に複数の画像をプリントするためのテンプレート画像を編集生成して前記テンプレート画像記憶手段２３２に格納するものであり、所定サイズの記録媒体枠が格納されている記録媒体枠記憶手段２３ａと、画像枠が格納されている画像枠記憶手段２３ｂと、前記記録媒体枠記憶手段２３ａと画像枠記憶手段２３ｂに格納された記録媒体枠上に画像枠をドラッグアンドドロップ方式で配置するレイアウト手段２３ｄと、ダブルクリック方式で枠順位を設定する枠順位割付手段２３ｄを備えて構成される。
【００３１】
上述した構成とすることにより、例えば図３に示すように、任意の記録媒体枠６０上に、種々の大きさや形状の画像枠６１を配置した後、枠順位（図中の枠内の数字で表す）を設定することによりテンプレート画像を作成することができる。また、任意に応じて、タイトルスペース６２を形成することも可能となっている。
【００３２】
前記テンプレートレイアウト手段２３１で作成されたテンプレート画像は前記テンプレート画像記憶手段２３２に格納されるのであるが、また、前記テンプレートレイアウト手段２３１は、格納された当該テンプレート画像に対して再度編集することも可能である。
【００３３】
また、画像枠の数のみ異なる複数の類似したテンプレート画像を作成した場合には、一グループのテンプレート画像（以下、類似テンプレート群という）として格納することができる。類似テンプレート群の中から代表的なテンプレート画像を選択しておき、サンプルテンプレート画像を作成しておくことも可能である。サンプルテンプレート画像は、オペレータがテンプレート画像を選択する際に、代表して前記モニター７ｂに表示される。また、各類似したテンプレート画像は、それぞれの枠順位のうち最大の枠順位をそれぞれの識別番号として設定がされる。
【００３４】
前記割付順位設定手段２３５は、前記画像バッファメモリ１２３に格納されたコマ画像に対して、前記画像バッファメモリ１２３に格納されるときに付加されるコマ画像識別情報をもとに、格納された順番に割付順位を設定し、前記割付コマ画像記憶手段２３６に格納する。
【００３５】
前記割付コマ順位編集手段２３７は、前記割付コマ画像記憶手段２３６に格納された各コマ画像の割付順位の編集を行う。例えば、各コマ画像に設定されている割付順位の解除や、割付順位の修正などの編集を行うのである。この割付順位の修正は、前記順位付け機能記憶手段２３８に格納されている種々の編集モードを使用することができる。
【００３６】
一つは、図４（ａ）に示すように、指示したコマ画像の割付順位を解除し、当該コマ画像の割付順位よりも下位にあるコマ画像の割付順位が上位に更新する解除更新モードで、必要のないコマ画像を省くのに適している。
【００３７】
一つは、図４（ｂ）に示すように、指示したコマ画像の割付順位を解除し、当該コマ画像の割付順位よりも下位にあるコマ画像の割付順位が上位に更新し、かつ、当該コマ画像の割付順位が最下位に設定される再下位設定モードである。
【００３８】
一つは、図４（ｃ）に示すように、指示したコマ画像の割付順位が最上位に更新され、他のコマ画像の割付順位が繰り下がる最上位更新モードである。
【００３９】
一つは、図４（ｄ）に示すように、指示したコマ画像の割付順位が最上位に更新され、かつ、もとの最上位であったコマ画像の割付順位が、指示されたコマ画像の割付順位となる入れ替えモードである。
【００４０】
また、単なる入力モードも備え、指定を行った順に割付順位を設定していく正入力モード（指定したコマ画像の割付順位が常に再下位となる）や、指定を行った順とは逆に割付順位を設定していく逆入力モード（指定したコマ画像の割付順位が常に再上位となる）などがある。これらは割付解除を行ったコマ画像の再割付順位設定や、後述する多次元割付順位の設定の際に、新規に割付順位を設定するために使用する。
【００４１】
尚、ここに示した編集・入力モードは、種々の編集・入力モードの一部を例示したに過ぎずこれに限定されるものではない。
【００４２】
割付順位の設定は、前記モニター７ｂに表示されるコマ画像をマウス７ｄにより操作するポインターで指定しダブルクリックを行うことにより可能となるが、特にこれに限定するものではない。
【００４３】
編集された割付順位が設定されたコマ画像は、再度前記割付コマ画像記憶手段２３６に格納される。
【００４４】
前記テンプレート画像選択手段２３３は、前記テンプレート画像記憶手段２３２に格納されている対象とするテンプレート画像を選択するのであるが、オペレータが類似テンプレート群を表すサンプルテンプレート画像を選択している場合には、類似テンプレート群の各テンプレート画像の識別番号から、嵌め込まれるコマ画像の枚数に対応するテンプレート画像を選択する。
【００４５】
嵌め込み編集手段２３０は、コマ画像の割付順位に従って、テンプレートの枠順位に対象コマ画像を嵌め込んだプリントデータを作成する。
【００４６】
ここで、前述した割付順位の編集の際に、割付順位が解除されたコマ画像はテンプレート画像に嵌め込まれることはないが、前記割付コマ画像記憶手段２３６には格納されていることが好ましい。再編集時に再度割付順位を設定する可能性があるためである。
【００４７】
前記順位付け機能記憶手段２３８は、多次元的に割付順位を設定する多次元割付順位機能を格納しておくことも可能である。例えば、図５に示すように（３次元の場合）最初に前記割付順位設定手段２３５で設定された割付順位をそのまま確保し（図中枠内上段の数字）、それとは別の次元で複数の割付順位を設定するのである（図中枠内中段及び下段の数字）。また、前記別次元での割付順位はなくてもよい（図中枠内中段及び下段の＊記号）。また、各次元に対して優先順位を設定することも可能である。例えば図５の場合、下段の割付順位を優先順位１位、中段の割付順位を２位、上段の割付順位を３位とした場合、その割付順位はコマ画像名で示すと、ＢＡＣＥＦＤＧの順となる。
【００４８】
以下、本発明のレイアウト編集処理装置を用いて、学校のクラスアルバム写真を作成した場合について図６のフローチャートを用いて説明する。ここでは、学校のクラスアルバム写真は、図３に代表されるテンプレート画像（枠順位（枠中数字）が設定済み）に校長、担任、各生徒の写真を嵌め込んで作成するものであり、生徒がテンプレート画像中央の拡大枠（枠順位１）に配置されたものを当該生徒毎に効率よく作成する場合について説明する。また、全ての写真において、校長の写真は枠順位２の位置に、担任の写真は枠順位３の位置に配置するとともに、互いのクラス写真との関係において、クラス写真中央の拡大枠にくる生徒を除いて、各生徒の基本配列は変更してはいけないという条件が付加されている。基本配列とは、各生徒間において、常に上位の生徒、あるいは下位の生徒の位置が特定されているということである。
【００４９】
図７に示すように、ネガフィルム７０に校長、担任、生徒の写真からなる各コマ画像が前記画像読取部１２により読取られると（Ｓ１）、前記画像バッファメモリ１２３に格納される（Ｓ２）。格納されたコマ画像は、前記割付順位設定手段２３５により、コマ画像識別情報をもとに、前記格納されたコマ画像から順に、各コマ画像の選択、割付順位の設定をされ（Ｓ３）、前記割付コマ画像記憶手段２３６に格納される（Ｓ４）。
【００５０】
入力装置７ｅを介してオペレータによりアルバムプリントが指示されると前記割付コマ順位編集手段２３７が起動する（Ｓ５）。
【００５１】
前記モニター７ｂには、割付順位が設定された前記コマ画像から順に、当該コマ画像Ｐｎが表示されるとともに、前記各コマ画像Ｐｎには割付順位枠Ｗ１ｎと割付順位が表示され、オペレータは割付順位が確認できるようになっている（図８（ａ））。ここでは、校長が１、担任が２、以下生徒が３〜Ｎまでの基本配列で割付順位が設定されている。
【００５２】
またオペレータはモニター７ｂの別画面により、サンプルテンプレート画像を選択（Ｓ６）し、その枠順位を確認する。
【００５３】
オペレータは後の編集作業の効率向上のため前記入力装置７ｅにより、割付順位設定を二次元モードに設定し、新規次元の割付順位（以下、二次割付順位という）を作成する。また、二次割付順位の優先順位を初期割付順位より優先とする設定を行う。このとき、前記順位付け機能記憶手段２３８に格納されている前述した多次元割付順位機能が活用される。
【００５４】
前記多次元割付順位機能が作動すると、前記モニター７ｂは画面が切り替わり、図８（ｂ）に示すように、二次割付順位枠Ｗ２ｎが表示され、二次割付順位が設定可能な表示画面を表示する。本実施形態では初期割付順位枠Ｗ１ｎが各コマ画像の右下に表示され、各コマ画像中央に前記二次割付順位枠Ｗ２ｎが表示されているが、これに限定されるものではなく、オペレータの使いやすい表示設定であれば、どのような表示構成となってもよい。
【００５５】
二次割付順位は、オペレータが前述した正入力モードにより、前記マウス７ｄで前記コマ画像を指定しダブルクリックを行うことで順に設定される。
【００５６】
生徒Ａを前記テンプレート画像の画面中央枠に表示させる場合には、二次割付順位を生徒Ａが１、校長が２、担任が３と設定すればよい。その他の生徒は二次割付順位を設定する必要がなく、初期割付順位により基本配列に配列されるためである。
【００５７】
オペレータは初期割付順位と二次割付順位の確認を行い、かつ、前記モニター７ｂの別画面で表示されるサンプルテンプレート画像を再確認し、また、必要であれば、前記入力装置７ｅを用いて、タイトルスペースに文字入力を行った後、前記入力装置７ｅを用いて嵌め込み編集を指示する（Ｓ７、８）。
【００５８】
編集された割付順位を持つコマ画像は前記割付コマ画像記憶手段２３６に格納される（Ｓ９）。
【００５９】
前記テンプレート画像選択手段２３３は、前記割付コマ画像記憶手段２３６に格納された割付番号から算出したテンプレート画像へ嵌め込むべきコマ画像の枚数と、前記テンプレート画像記憶手段２３２に格納されているオペレータにより選択されたサンプルテンプレート画像が代表する類似テンプレート群に設定されている前述した各テンプレート画像の識別番号とをもとに、対象となるテンプレート画像を選択する（Ｓ１０）。
【００６０】
前記嵌め込み編集手段２３０は、前記類似テンプレート画像の枠順位に対応する最終割付順位（初期割付順位と二次割付順位とそれらの優先順位から算出された割付順位）を持つコマ画像を前記類似テンプレート画像のそれぞれの枠に嵌め込み、プリントデータを作成する（Ｓ１１）。
【００６１】
嵌め込み編集の終了したプリントデータは、前記モニター７ｄに表示され、コマ画像がテンプレート画像に適切に嵌め込まれているかオペレータによって確認される（Ｓ１２）。適切であれば、入力手段７ｅで登録する指示を与えることにより、前記プリントデータ記憶手段２３９に格納される（Ｓ１３）。
【００６２】
次にオペレータは生徒Ｂを画面中央枠に表示させるために、コマ画像の割付順位の再設定を行う。つまり、オペレータは前記編集後の割付順位を再編集する（Ｓ１４）。
【００６３】
生徒Ｂを画面中央枠に配置し、かつ、校長及び担任の配置を変えず、かつ、他の生徒の基本配列を変えないためには、先に設定を行った二次割付順位において、前述した入れ替えモードで生徒Ｂを指定すればよい。つまり、生徒Ｂの二次割付順位が１となり、生徒Ａの二次割付順位が消滅するため、生徒Ｂが画面中央の拡大枠に配置され、生徒Ａは他の生徒とともに基本配列に配列され、校長と担任の配置は変わらないこととなる。
【００６４】
また別の機能を用いた場合として、先に設定を行った二次割付順位において、前述した解除更新モードで生徒Ａを指定した後、前述した逆入力モードにより生徒Ｂを指定すればよい。つまり、生徒Ａの二次割付順位が消滅し、一旦、校長が１、担任が２となるが、その後、生徒Ｂが１、校長が２、担任が３となるため、同様に目的の配列が達成できる。
【００６５】
配列変更は上記のものに限定されるものではなく、前述した種々のモードを駆使することにより目的の配列を達成することができる。
【００６６】
他の生徒においても同様に設定が可能であり、オペレータは全生徒分において編集を行った後、前記入力装置７ｅによりプリント出力を指示することによりプリント出力される（Ｓ１５）。
【００６７】
上述した実施形態では、学校のクラス写真を作成した場合について説明をしたが、これは例示に過ぎずこれに限定されるものではない。
【００６８】
上述した実施形態では、画像レイアウト編集装置が写真プリント装置に実現されたものを説明したが、本発明による画像レイアウト編集装置は写真プリント装置に組み込まれるものに限らず、顧客が直接操作するデジタル写真注文受付装置や、汎用のパーソナルコンピュータに組み込まれるものであってもよい。
【００６９】
上述した画像レイアウト表示手段によるレイアウトの設定操作手順及び表示画面は例示に過ぎずこれらに限定されるものではなく、本発明の作用効果を奏する限りにおいて適宜設計されるものである。
【図面の簡単な説明】
【００７０】
【図１】写真画像処理装置のブロック構成図
【図２】レイアウト編集処理装置のブロック構成図
【図３】テンプレート画像に枠順位を設定した説明図
【図４】割付順位の順位付け機能の説明図
【図５】多次元割付順位の説明図
【図６】レイアウト編集の編集手順を示すフローチャート
【図７】ネガフィルムの説明図
【図８】レイアウト編集時における割付順位の設定表示画面の説明図
【図９】従来技術で課題となる対象画像のレイアウト説明図
【符号の説明】
【００７１】
１：写真画像入力部
２：画像処理部
３：画像露光部
４：現像処理部
５：排紙部
６：システム制御部
７：コンソール
７ａ：プリント情報設定部
７ｂ：モニター
７ｃ：キーボード
７ｄ：マウス
７ｅ：入力装置
２３：プリントデータ生成手段
２３０：嵌め込み編集手段
２３１：テンプレートレイアウト編集手段
２３２：テンプレート画像編集手段
２３３：テンプレート画像編集手段
２３４：コマ画像選択手段
２３５：割付順位設定手段
２３６：割付コマ画像記憶手段
２３７：割付コマ順位編集手段
２３８：順位付け機能記憶手段
２３９：プリントデータ記憶手段
【図１】
2006150654.tif 000003
【図２】
2006150654.tif 000004
【図３】
2006150654.tif 000005
【図６】
2006150654.tif 000006
【図７】
2006150654.tif 000007
【図９】
2006150654.tif 000008
【図４】
2006150654.tif 000009
【図５】
2006150654.tif 000010
【図８】
2006150654.tif 000011